(57)【要約】      （修正有）【課題】簡単な構成で簡単にサイディング材に固定することができ、防水性の高い屋外側スリーブ材及び屋外側スリーブ材の固定方法を提供する。【解決手段】屋外側スリーブ材１は、サイディング材１０に形成される貫通孔１１に挿入された状態で当該サイディング材１０に固定されるとともに、屋内端に屋内方向に延びるダクト管１３が連通する屋外側スリーブ材１であって、屋外端に形成され、前記サイディング材１０の屋外面を押さえるフランジと、前記フランジの屋内側に形成され前記サイディング材１０の貫通孔１１に挿入される大径部６と、前記大径部６の屋内側に形成され当該屋外側スリーブ材１の径方向の内側に延びる段部７と、前記段部７の屋内側に形成され屋内方向に延びる小径部８と、前記段部７の屋内側の面に固定されるとともに、前記サイディング材１０の屋内側の面を押さえる固定片３ａと、を備える。【選択図】図５
2018059589.tif 000002
【特許請求の範囲】
【請求項１】
サイディング材に形成される貫通孔に挿入された状態で当該サイディング材に固定されるとともに、屋内端に屋内方向に延びるダクト管が連通する屋外側スリーブ材であって、
屋外端に形成され、前記サイディング材の屋外面を押さえるフランジと、
前記フランジの屋内側に形成され前記サイディング材の貫通孔に挿入される大径部と、
前記大径部の屋内側に形成され当該屋外側スリーブ材の径方向の内側に延びる段部と、
前記段部の屋内側に形成され屋内方向に延びる小径部と、
前記段部の屋内側の面に固定されるとともに、前記サイディング材の屋内側の面を押さえる固定片と、を備えることを特徴とする屋外側スリーブ材。
【請求項２】
前記フランジは、サイディング材の屋外面に当接する押さえ部と、前記押さえ部よりも径方向の外側に前記サイディング材の屋外面から屋外方向に離れる離間部と、を有することを特徴とする請求項１に記載の屋外側スリーブ材。
【請求項３】
前記フランジは、離間部の屋内側にシーリングバックアップ材が装填されることを特徴とする請求項２に記載の屋外側スリーブ材。
【請求項４】
前記固定片は、平板を直角に折り曲げた等辺又は不等辺の山形であり、一方の平片に先端側及び基端側に固定ネジを挿入可能なネジ挿通孔が形成されるとともに、
前記段部に前記固定ネジが螺着するネジ孔が形成されることを特徴とする請求項１から請求項３のいずれかに記載の屋外側スリーブ材。
【請求項５】
前記固定片は平板を直角に２箇所が逆向きに折れ曲げたＺ形であり、少なくとも一端側の平片に固定ネジを挿入可能なネジ挿通孔が形成されるとともに、
前記段部に前記固定ネジが螺着するネジ孔が形成されることを特徴とする請求項１から請求項３のいずれかに記載の屋外側スリーブ材。
【請求項６】
請求項４に記載の屋外側スリーブ材を前記サイディング材に固定する屋外側スリーブの固定方法であって、
前記サイディング材の厚さが前記大径部の軸方向の長さよりも長い場合は、前記固定片の前記一方の平片の基端側の前記ネジ挿通孔に前記固定ネジを挿入し、前記ネジ孔に前記固定ネジを螺着させ、前記固定片の他方の平片の先端を前記段部に押し付けつつ、前記固定片の一方の平片を前記サイディング材の屋内側の面に当接させるとともに、
前記サイディング材の厚さが前記大径部の軸方向の長さよりも短い場合は、前記固定片の前記一方の平片の先端側の前記ネジ挿通孔に前記固定ネジを挿入し、前記ネジ孔に前記固定ネジを螺着させ、前記固定片の一方の平片を前記段部に押し付けつつ、前記固定片の他方の平片を前記サイディング材の屋内側の面に当接させることを特徴とする屋外側スリーブ材の固定方法。
【請求項７】
請求項５に記載の屋外側スリーブを前記サイディング材に固定する屋外側スリーブの固定方法であって、
前記サイディング材の厚さが前記大径部の軸方向の長さよりも長い場合は、前記固定片の中間の平片を前記一端側の平片から屋内方向に延びるように配置して、一端側の平片を固定ネジで前記段部に固定しつつ、前記他端側の平片を前記サイディング材の屋内側の面に当接させるとともに、
前記サイディング材の厚さが前記大径部の軸方向の長さよりも短い場合は、前記固定片の中間の平片を前記一端側の平片から屋外方向に延びるように配置して、一端側の平片を固定ネジで前記段部に固定しつつ、前記他端側の平片を前記サイディング材の屋内側の面に当接させることを特徴とする屋外側スリーブ材の固定方法。
【発明の詳細な説明】
【技術分野】
【０００１】
本発明は、サイディング材に形成される貫通孔に挿入された状態で当該サイディング材に固定され、外壁を貫通するスリーブ孔の屋外側の端部を形成する屋外側スリーブ材及び、当該屋外側スリーブ材の固定方法に関する。
【背景技術】
【０００２】
例えばエアコンの室内機と室外機とを接続する配管のように、建物の外壁には配管を挿通させるためのスリーブ孔を貫通させる必要がある。そして、外壁を貫通するスリーブ管の内部に雨水が浸入すると、スリーブ管を介して外壁の内部や建物の屋内側に水の浸入が発生するおそれがあるので、スリーブ管の防水性を高める必要がある。
【０００３】
例えば特許文献１では、パイプ部の一端にフランジが設けられてなるスリーブ材と、スリーブ材の外側に設けられた複数本の固定ネジと、各固定ネジに螺合される固定スライダとを含み、固定スライダが固定ネジの回動操作に連動して平行移動して、固定スライダが具備する固定フックとフランジとの間に外壁材をはさむようにしてスリーブ材を貫通孔内に固定する構成が記載されている。
【０００４】
このようなスリーブ材は、ネジ孔がスリーブ材の内側に向かって貫通していないので、水密性が保たれスリーブ材の途中の位置では外壁の内側等に水が浸入することを防止できる。
【先行技術文献】
【特許文献】
【０００５】
【特許文献１】特開２０１３−１７０７８６号公報
【発明の概要】
【発明が解決しようとする課題】
【０００６】
しかし上述のスリーブ材は、スリーブ材と平行に固定ネジを複数設ける必要があり、形状が複雑となって製造コストが高くなる問題がある、また、スリーブ材自体の水密性が保たれても、スリーブ材の内側を伝ってスリーブ材の継ぎ目や外壁の屋内側に浸入する水を防止することはできない。
【０００７】
そこで、本発明は、簡単な構成で簡単にサイディング材に固定することができ、防水性の高い屋外側スリーブ材及び屋外側スリーブ材の固定方法を提供することを目的とする。
【課題を解決するための手段】
【０００８】
本発明の第一の屋外側スリーブ材は、サイディング材に形成される貫通孔に挿入された状態で当該サイディング材に固定されるとともに、屋内端に屋内方向に延びるダクト管が連通する屋外側スリーブ材であって、屋外端に形成され、前記サイディング材の屋外面を押さえるフランジと、前記フランジの屋内側に形成され前記サイディング材の貫通孔に挿入される大径部と、前記大径部の屋内側に形成され当該屋外側スリーブ材の径方向の内側に延びる段部と、前記段部の屋内側に形成され屋内方向に延びる小径部と、前記段部の屋内側の面に固定されるとともに、前記サイディング材の屋内側の面を押さえる固定片と、を備えることを特徴としている。
【０００９】
本発明の第二の屋外側スリーブ材は、前記フランジは、サイディング材の屋外面に当接する押さえ部と、前記押さえ部よりも径方向の外側に前記サイディング材の屋外面から屋外方向に離れる離間部と、を有することを特徴としている。
【００１０】
本発明の第三の屋外側スリーブ材は、前記フランジは、離間部の屋内側にシーリングバックアップ材が装填されることを特徴としている。
【００１１】
本発明の第四の屋外側スリーブ材は、前記固定片は、平板を直角に折り曲げた等辺又は不等辺の山形であり、一方の平片に先端側及び基端側に固定ネジを挿入可能なネジ挿通孔が形成されるとともに、前記段部に前記固定ネジが螺着するネジ孔が形成されることを特徴としている。
【００１２】
本発明の第五の屋外側スリーブ材は、前記固定片は平板を直角に２箇所が逆向きに折れ曲げたＺ形であり、少なくとも一端側の平片に固定ネジを挿入可能なネジ挿通孔が形成されるとともに、前記段部に前記固定ネジが螺着するネジ孔が形成されることを特徴としている。
【００１３】
本発明の屋外側スリーブ材の固定方法は、第四の屋外側スリーブ材を前記サイディング材に固定する屋外側スリーブの固定方法であって、前記サイディング材の厚さが前記大径部の軸方向の長さよりも長い場合は、前記固定片の前記一方の平片の基端側の前記ネジ挿通孔に前記固定ネジを挿入し、前記ネジ孔に前記固定ネジを螺着させ、前記固定片の他方の平片の先端を前記段部に押し付けつつ、前記固定片の一方の平片を前記サイディング材の屋内側の面に当接させるとともに、前記サイディング材の厚さが前記大径部の軸方向の長さよりも短い場合は、前記固定片の前記一方の平片の先端側の前記ネジ挿通孔に前記固定ネジを挿入し、前記ネジ孔に前記固定ネジを螺着させ、前記固定片の一方の平片を前記段部に押し付けつつ、前記固定片の他方の平片を前記サイディング材の屋内側の面に当接させることを特徴としている。
【００１４】
本発明の屋外側スリーブ材の固定方法は、第五の屋外側スリーブを前記サイディング材に固定する屋外側スリーブの固定方法であって、前記サイディング材の厚さが前記大径部の軸方向の長さよりも長い場合は、前記固定片の中間の平片を前記一端側の平片から屋内方向に延びるように配置して、一端側の平片を固定ネジで前記段部に固定しつつ、前記他端側の平片を前記サイディング材の屋内側の面に当接させるとともに、前記サイディング材の厚さが前記大径部の軸方向の長さよりも短い場合は、前記固定片の中間の平片を前記一端側の平片から屋外方向に延びるように配置して、一端側の平片を固定ネジで前記段部に固定しつつ、前記他端側の平片を前記サイディング材の屋内側の面に当接させることを特徴としている。
【発明の効果】
【００１５】
本発明の第一の屋外側スリーブ材によると、屋外側スリーブ材は、フランジでサイディング材の屋外側の面を押さえるとともに、固定片でサイディング材の屋内側の面を押さえて固定している。そして、屋外側スリーブ材には大径部と、段部と、小径部と、が設けられているので、屋外側スリーブ材の屋内側に雨水等が浸入したとしても段部が堰となって雨水のこれ以上の浸入を防止することができる。また、固定片は段部に固定されるので別途受け金具を設ける必要がなく部品点数を削減できる。
【００１６】
第二の屋外側スリーブ材によると、フランジが、サイディング材の屋外面に当接する押さえ部と、押さえ部よりも径方向の外側にサイディング材の屋外面から屋外方向に離れる離間部と、を有するので離間部とサイディング材との間の隙間にシーリング材を充填することができる。
【００１７】
第三の屋外側スリーブ材によると、フランジの離間部の屋内側にシーリングバックアップ材が装填されているので、シーリング材を施工しやすく、防水性能を高めることができる。
【００１８】
第四の屋外側スリーブ材によると、固定片は、平板を直角に折り曲げた等辺又は不等辺の山形であり、段部に固定ネジが螺着するネジ孔が形成されるので、新たな部材を設けることなく固定片を段部に固定することができる。そして、固定片の一方の平片には先端側と基端側とにネジ挿通孔が形成されているので、基端側のネジ挿通孔を使って、固定片の他方の平片の先端を段部に押し付けつつ、固定片の一方の平片を前記サイディング材の屋内側の面に当接させるようにすれば、サイディング材が厚い場合にサイディング材に屋外側スリーブ材を固定することができる。また、先端側のネジ挿通孔を使って、固定片の一方の平片を段部に押し付けつつ、固定片の他方の平片をサイディング材の屋内側の面に当接させるようにすれば、サイディング材が薄い場合にサイディング材に屋外側スリーブ材を固定することができる。
【００１９】
第五の屋外側スリーブ材によると、固定片は、平板を直角に２箇所が逆向きに折れ曲げたＺ形であり、少なくとも一端側の平片に固定ネジを挿入可能なネジ挿通孔が形成されるとともに、段部に前記固定ネジが螺着するネジ孔が形成されるので、新たな部材を設けることなく固定片を段部に固定することができる。固定片の中間の平片を屋内方向に延びるように配置すればサイディング材が厚い場合にサイディング材に屋外側スリーブ材を固定することができる。固定片の中間の平片を屋外方向に延びるように配置すればサイディング材が薄い場合にサイディング材に屋外側スリーブ材を固定することができる。
【００２０】
屋外側スリーブ材の固定方法によると、サイディング材が厚い場合には固定片の他方の平片の先端を段部に押し付けつつ、固定片の一方の平片をサイディング材の屋内側の面に当接させ、サイディング材が薄い場合には、固定片の一方の平片を段部に押し付けつつ、固定片の他方の平片をサイディング材の屋内側の面に当接させるので、複数の厚さのサイディング材に同じ部品で対応することができる。
【００２１】
屋外側スリーブ材の固定方法によると、サイディング材が厚い場合には、固定片の中間の平片を一端側の平片から屋内方向に延びるように配置し、一端側の平片を固定ネジで段部に固定しつつ、他端側の平片をサイディング材の屋内側の面に当接させる。また、サイディング材の厚さが薄い場合には、固定片の中間の平片を一端側の平片から屋外方向に延びるように配置して、一端側の平片を固定ネジで段部に固定しつつ、他端側の平片をサイディング材の屋内側の面に当接させるので、複数の厚さのサイディング材に同じ部品で対応することができる。
【図面の簡単な説明】
【００２２】
【図１】屋外側スリーブ材のスリーブ本体の外観構成を示す斜視図。
【図２】屋外側スリーブ材のスリーブ本体の外観構成を示す断面図。
【図３】第一の固定片の外観構成を示す斜視図。
【図４】第二の固定片の外観構成を示す斜視図。
【図５】サイディング材の厚さが大径部の軸方向の長さよりも短い場合の第一の固定片を用いた屋外側スリーブ材の固定方法を示す断面図。
【図６】図５のように第一の固定片を用いた場合の屋内方向から見た屋外側スリーブ材の構成を示す図。
【図７】サイディング材の厚さが大径部の軸方向の長さよりも長い場合の第一の固定片を用いた屋外側スリーブ材の固定方法を示す断面図。
【図８】サイディング材の厚さが大径部の軸方向の長さよりも長い場合の第二の固定片を用いた屋外側スリーブ材の固定方法を示す断面図。
【図９】サイディング材の厚さが大径部の軸方向の長さよりも短い場合の第二の固定片を用いた屋外側スリーブ材の固定方法を示す断面図。
【発明を実施するための形態】
【００２３】
以下、本発明に係る屋外側スリーブ材１の最良の実施形態について各図を参照しつつ説明する。本実施形態の屋外側スリーブ材１は、建物の外装材であるサイディング材１０に形成される貫通孔１１に挿入された状態で固定されて、建物外壁を貫通するスリーブ孔１２の屋外側の端部を形成し、その屋内側にダクト管１３が連通している。屋外側スリーブ材１は、例えば、エアコン等の空調設備の室内機と室外機とを連通するために、建物外壁を貫通するように形成されたスリーブ孔１２の屋外側の端部を形成しているが、これに限定されるものではなく、サイディング材１０を有する建物の様々な外壁貫通孔に用いることができる。
【００２４】
屋外側スリーブ材１は、径の異なる円筒を同軸上に組み合わせた形状のスリーブ本体２と、スリーブ本体２をサイディング材１０の貫通孔１１に固定するための固定片３ａ，３ｂとから構成されている。スリーブ本体２は、図１及び図２に示されるように、その屋外端に形成されたフランジ４と、フランジ４の屋内側の面に固定されているシーリングバックアップ材５と、フランジ４の屋内側に形成され、サイディング材１０の貫通孔１１に挿入される大径部６と、大径部６の屋内側の端部から縮径する方向に延びる段部７と、段部７の屋内側に形成されて屋内方向に延びる小径部８と、から構成されている。
【００２５】
フランジ４は、図２及び図５に示すように、径方向の最も内側にサイディング材１０に対して平行で平坦な内径部４０が形成されており、当該内径部４０には、スリーブ本体２の屋外端の開口を覆う蓋体１４を固定するための蓋固定用ねじ孔４１が設けられている。内径部４０の径方向外側には屋内方向に膨らんでおり、サイディング材１０の屋外面に当接する押さえ部４２が形成されている。そして、押さえ部４２の径方向外側にはサイディング材１０の屋外面から屋外方向に離れる離間部４３が形成されている。離間部４３は断面Ｌ状のリング形状で押さえ部４２から屋外方向に円筒形状に延びるとともに、サイディング材１０の屋外面と離れた位置でサイディング材１０に対して平行な鍔状の平坦面を形成している。
【００２６】
離間部４３の平坦な面の屋内側で、且つ押さえ部４２から延びる円筒部分の径方向外側には、当該円筒部分に沿うようにリング状のシーリングバックアップ材５が固定されている。シーリングバックアップ材５は、押さえ部４２がサイディング材１０の屋外面を押さえる際に、離間部４３の平坦な面とサイディング材１０の屋外面との間に挟まれてこれらの面に圧接する形状である。このシーリングバックアップ材５は例えば弾性材料で形成されており、シーリングバックアップ材５自体がサイディング材１０の屋外面に圧接したときにある程度の水密性を有していてもよい。
【００２７】
大径部６は、フランジ４の内径部４０の径方向の内側の端部から屋内方向に延びて形成されている円筒形状である。大径部６の径は少なくともサイディング材１０の貫通孔１１に挿入可能な径であり、サイディング材１０の貫通孔１１よりも大径部６の外周径が僅かに小さく形成されている。大径部６の屋内屋外方向の長さはサイディング材１０の厚さよりも長くてもよく、サイディング材１０の厚さよりも短くてもよい。
【００２８】
段部７は、大径部６の屋内側に形成され屋外側スリーブ材１の径方向の内側に延びている。段部７には図１及び図６に示すように、環状に等間隔を開けて３箇所にバーリング加工されたネジ孔７１が形成されている。なお、図２，図５，図７，図８，及び図９において、屋外側スリーブ材１を軸方向に切断した断面図が記載されており、図示の都合上、これらの図面においては上下にネジ孔７１が記載されているが、等間隔に３箇所ネジ孔７１を設けた場合、実際には切断面に２箇所のネジ孔７１が配置されることは無い。
【００２９】
段部７の径方向の内側の端縁には当該段部７から屋内方向に向かって延びる小径部８が形成されている。小径部８は大径部６よりも径が小さい円筒形状であり、この小径部８に、ダクト管１３が外挿してスリーブ孔１２を形成している。
【００３０】
固定片３ａ，３ｂは、屋外側スリーブ材１を固定するサイディング材１０の厚さに応じた寸法に形成され、厚さの異なるサイディング材１０に屋外側スリーブ材１を固定するために、２種類の形の異なる固定片３ａ，３ｂが選択可能に用意されている。第一の固定片３ａは、図３に示すように、平板を直角に折り曲げた２つの平片から形成されており、一方の平片３１が長辺であり、他方の平片３２が短辺である不等辺の山形である。一方の平片３１には、先端側及び基端側にそれぞれ固定ネジ１６を挿入可能なネジ挿通孔３３が形成されるている。なお、本発明における固定片は不等辺の山形に限らず、等辺の山形であってもよい。
【００３１】
第二の固定片３ｂは、図４に示すように、平板を直角に２箇所が逆向きに折れ曲げて、一端側の平片３４、他端側の平片３５、及び一端側の平片３４と他端側の平片３５とを繋ぐ中間の平片３６からＺ形に形成されている。第二の固定片３ｂの一端側の平片３４には固定ネジ１６を挿入可能なネジ挿通孔３３が形成されている。
【００３２】
次に以上のように構成される屋外側スリーブ材１をサイディング材１０の貫通孔１１に固定した構造及び固定方法について説明する。本実施形態では４種類の異なる厚さのサイディング材１０に屋外側スリーブ材１を固定している。４種類のサイディング材１０の厚さのうち、最も厚いサイディング材１０及び最も薄いサイディング材１０への屋外側スリーブ材１の固定は上述の第二の固定片３ｂを用いて固定する。一方、２番目に厚いサイディング材１０及び３番目に厚いサイディング材１０への屋外側スリーブ材１の固定は第一の固定片３ａを用いて固定している。
【００３３】
まず、図５から図７を参照しつつ、第一の固定片３ａを用いたサイディング材１０の貫通孔１１への屋外側スリーブ材１の固定について説明する。第一の固定片３ａを用いて屋外側スリーブ材１を固定するサイディング材１０のうち一方のサイディング材１０の厚さは、屋外側スリーブ材１の大径部６の軸方向の長さよりも短く、他方のサイディング材１０の厚さは、屋外側スリーブ材１の大径部６の軸方向の長さよりも長い。
【００３４】
サイディング材１０の厚さが、屋外側スリーブ材１の大径部６の軸方向の長さよりも短い場合は、図５に示すように、屋外側スリーブ材１は、フランジ４の押さえ部４２がサイディング材１０の屋外面に当接するまで、大径部６をサイディング材１０の貫通孔１１に挿入する。このとき、サイディング材１０が大径部６の軸方向の長さよりも短いので、大径部６の屋内側の端部はサイディング材１０の屋内面よりも屋内側に突出して配置され、大径部６の屋内側の端部から径方向内側に延びる段部７もサイディング材１０の屋内面よりも屋内側の位置に配置される。そして、第一の固定片３ａの一方の平片３１の先端側のネジ挿通孔３３に固定ネジ１６を挿入し、段部７に形成されたネジ孔７１に固定ネジ１６を螺着させて、第一の固定片３ａの一方の平片３１を段部７に押し付けつつ、第一の固定片３ａの他方の平片３２の先端をサイディング材１０の屋内側の面に当接させて、サイディング材１０の屋内面を押圧する。これによって、フランジ４の押さえ部４２と第一の固定片３ａの他方の平片３２の先端とでサイディング材１０に挟着して屋外側スリーブ材１をサイディング材１０に固定する。なお、図６に示すように、第一の固定片３ａは等間隔で３箇所に設けられており、これら３箇所で、それぞれ、第一の固定片３ａが当該第一の固定片３ａの一方の平片３１を段部７に押し付けつつ、第一の固定片３ａの他方の平片３２の先端をサイディング材１０の屋内側の面に当接させて、サイディング材１０の屋内面を押圧している。
【００３５】
そして、次に、フランジ４の離間部４３とサイディング材１０の屋外面の間にシーリング剤１７を充填して、フランジ４とサイディング材１０との水密性を確保する。このとき、離間部４３の円筒部分に沿うようにリング状のシーリングバックアップ材５が固定されているので、シーリング剤１７の防水性能を高めることができる。また、離間部４３によってシーリング剤１７を屋外側から隠すことができるので、外壁面をきれいに仕上げることができる。
【００３６】
また、例えばエアコンが未設置の場合などのように、スリーブ本体２を配管などに使用しない場合には、スリーブ本体２の屋外端の開口を覆う蓋体１４が固定される蓋体１４は、円形平板状で、フランジ４の内径部４０に形成された蓋固定用ねじ孔４１に螺合する蓋ねじ１５によってパッキン１８を介して固定される。蓋体１４が固定されることによって、スリーブ本体２の屋外端が閉じられるので、風雨がスリーブ孔１２を通して屋内や外壁内部に侵入することを防止できる。また、この蓋体１４による１次防水ラインを一部の雨水が通過した場合であっても、スリーブ本体２の大径部６の屋内側には段部７が形成されており、この段部７が堰となって、これ以上の雨水の浸入を防止することができる。
【００３７】
屋外側スリーブ材１の小径部８にはダクト管１３の一端が外挿しており、ダクト管１３の屋外側は、図示しないが、内壁の石膏ボードを貫通する屋内側スリーブ材が連通して、スリーブ孔１２を構成している。屋外側スリーブ材１は上述の通りフランジ４の押さえ部４２と第一の固定片３ａとでサイディング材１０を挟んで強固に固定されているので、ダクト管１３及び屋内側スリーブ材の固定を安定させることができる。
【００３８】
次に、第一の固定片３ａを用いたサイディング材１０の貫通孔１１への屋外側スリーブ材１の固定のうち、厚さが、屋外側スリーブ材１の大径部６の軸方向の長さよりも長い他方のサイディング材１０の固定について図７を参照しつつ説明する。なお、サイディング材１０の屋内面を第一の固定片３ａで押さえる構成以外は、上述の屋外側スリーブ材１の大径部６の軸方向の長さよりも短いサイディング材１０の固定方法と同様であるので説明を省略する。
【００３９】
サイディング材１０の厚さが、屋外側スリーブ材１の大径部６の軸方向の長さよりも長い場合は、図７に示すように、屋外側スリーブ材１は、フランジ４の押さえ部４２がサイディング材１０の屋外面に当接するまで、大径部６をサイディング材１０の貫通孔１１に挿入する。このとき、サイディング材１０が大径部６の軸方向の長さよりも長いので、大径部６の屋内側の端部はサイディング材１０の屋内面よりも屋外側に入り込んで配置され、大径部６の屋内側の端部から径方向内側に延びる段部７もサイディング材１０の屋内面よりも屋外側の位置に配置される。そして、第一の固定片３ａの一方の平片３１の基端側のネジ挿通孔３３に固定ネジ１６を挿入し、段部７に形成されたネジ孔７１に固定ネジ１６を螺着させ、第一の固定片３ａの他方の平片３２の先端を段部７に押し付けつつ、第一の固定片３ａの一方の平片３１をサイディング材１０の屋内側の面に当接させて、サイディング材１０の屋内面を押圧する。これによって、フランジ４の押さえ部４２と第一の固定片３ａの他方の平片３２の先端とでサイディング材１０に挟着して屋外側スリーブ材１をサイディング材１０に固定している。
【００４０】
以上のように、サイディング材１０が厚い場合には第一の固定片３ａの他方の平片３２の先端を段部７に押し付けつつ、第一の固定片３ａの一方の平片３１をサイディング材１０の屋内側の面に当接させ、サイディング材１０が薄い場合には、第一の固定片３ａの一方の平片３１を段部７に押し付けつつ、第一の固定片３ａの他方の平片３２をサイディング材１０の屋内側の面に当接させるので、複数の厚さのサイディング材１０に同じ第一の固定片３ａで対応することができる。
【００４１】
次に、図８及び図９を参照しつつ、第二の固定片３ｂを用いたサイディング材１０の貫通孔１１への屋外側スリーブ材１の固定について説明する。第二の固定片３ｂを用いて屋外側スリーブ材１を固定するサイディング材１０のうち一方のサイディング材１０の厚さは、屋外側スリーブ材１の大径部６の軸方向の長さよりも短く、他方のサイディング材１０の厚さは、屋外側スリーブ材１の大径部６の軸方向の長さよりも長い。
【００４２】
第二の固定片３ｂを用いたサイディング材１０の貫通孔１１への屋外側スリーブ材１の固定のうち、厚さが、屋外側スリーブ材１の大径部６の軸方向の長さよりも長いサイディング材１０の固定について図８を参照しつつ説明する。なお、サイディング材１０の屋内面を第二の固定片３ｂで押さえる構成以外は、上述の第一の固定片３ａを用いたサイディング材１０の固定方法と同様であるので説明を省略する。
【００４３】
サイディング材１０の厚さが、屋外側スリーブ材１の大径部６の軸方向の長さよりも長い場合は、図８に示すように、屋外側スリーブ材１は、フランジ４の押さえ部４２がサイディング材１０の屋外面に当接するまで、大径部６をサイディング材１０の貫通孔１１に挿入する。このとき、サイディング材１０が大径部６の軸方向の長さよりも長いので、大径部６の屋内側の端部はサイディング材１０の屋内面よりも屋外側に入り込んで配置され、大径部６の屋内側の端部から径方向内側に延びる段部７もサイディング材１０の屋内面よりも屋外側の位置に配置される。そして、第二の固定片３ｂの中間の平片３６を一端側の平片３４から屋内方向に延びるように配置して、一端側の平片３４のネジ挿通孔３３に固定ネジ１６を挿入し、当該固定ネジ１６を段部７のネジ孔７１に螺着させて固定しつつ、他端側の平片３５をサイディング材１０の屋内側の面に当接させて、サイディング材１０の屋内面を押圧する。これによって、フランジ４の押さえ部４２と第二の固定片３ｂの他端側の平片３５とでサイディング材１０に挟着して屋外側スリーブ材１をサイディング材１０に固定している。
【００４４】
サイディング材１０の厚さが、屋外側スリーブ材１の大径部６の軸方向の長さよりも短い場合は、図９に示すように、屋外側スリーブ材１は、フランジ４の押さえ部４２がサイディング材１０の屋外面に当接するまで、大径部６をサイディング材１０の貫通孔１１に挿入する。このとき、サイディング材１０が大径部６の軸方向の長さよりも短いので、大径部６の屋内側の端部はサイディング材１０の屋内面よりも屋内側に突出した位置に配置され、大径部６の屋内側の端部から径方向内側に延びる段部７もサイディング材１０の屋内面よりも屋内側の位置に配置される。そして、第二の固定片３ｂの中間の平片３６を一端側の平片３４から屋外方向に延びるように配置して、一端側の平片３４のネジ挿通孔３３に固定ネジ１６を挿入し、当該固定ネジ１６を段部７のネジ孔７１に螺着させて固定しつつ、他端側の平片３５をサイディング材１０の屋内側の面に当接させて、サイディング材１０の屋内面を押圧する。これによって、フランジ４の押さえ部４２と第二の固定片３ｂの他端側の平片３５とでサイディング材１０に挟着して屋外側スリーブ材１をサイディング材１０に固定している。
【００４５】
このように、サイディング材１０が厚い場合には、第二の固定片３ｂの中間の平片３６を一端側の平片３４から屋内方向に延びるように配置し、一端側の平片３４を固定ネジ１６で段部７に固定しつつ、他端側の平片３５をサイディング材１０の屋内側の面に当接させ、サイディング材１０の厚さが薄い場合には、固定片の中間の平片３６を一端側の平片３４から屋外方向に延びるように配置して、一端側の平片３４を固定ネジ１６で段部７に固定しつつ、他端側の平片３５をサイディング材１０の屋内側の面に当接させるので、複数の厚さのサイディング材１０に同じ部品で対応することができる。
【００４６】
なお、本発明の実施の形態は上述の形態に限ることなく、本発明の思想の範囲を逸脱しない範囲で適宜変更することができることは云うまでもない。
【産業上の利用可能性】
【００４７】
本発明に係る屋外側スリーブ材１は、外壁にサイディング材１０が設けられた建物のエアコンスリーブなどの外壁貫通部の屋外端を構成する屋外側スリーブ材１として好適に用いることができる。
【符号の説明】
【００４８】
１      屋外側スリーブ材
２      サイディング材
３ａ    第一の固定片
３ｂ    第二の固定片
４      フランジ
５      シーリングバックアップ材
６      大径部
７      段部
８      小径部
１０    サイディング材
３１    一方の平片
３２    他方の平片
３３    ネジ挿入孔
３４    一端側の平片
３５    他端側の平片
３６    中間の平片
４２    押さえ部
４３    離間部
【図１】
2018059589.tif 000003
【図２】
2018059589.tif 000004
【図３】
2018059589.tif 000005
【図４】
2018059589.tif 000006
【図５】
2018059589.tif 000007
【図６】
2018059589.tif 000008
【図７】
2018059589.tif 000009
【図８】
2018059589.tif 000010
【図９】
2018059589.tif 000011